(57)【要約】【課題】常に正確なユーザの音声を送信できる無線機用音声送受信装置を提供する。【解決手段】送信音声が入力されるとＰＴＴ信号を発生し、先方無線機からＰＴＴ信号に対する応答信号を受信すると送信モードを設定して、受信音声が入力されると受信モードを設定してＰＴＴ信号を発生しない制御部と、送信モードの際に送信音声を遅延させて出力する送信音声遅延部と、送信音声と受信音声の入力可否を感知する音声入力感知部とを備えることを特徴とする。したがって、ユーザがＰＴＴボタンを押さなくても相手と音声通信を行えるようにしている。また、無線機用音声送受信装置はＰＴＴ信号を先に出力した後、ユーザの音声を出力して、無線機の動作モードが送信モードに切替わった後、ユーザの音声を受信する。これにより無線機がユーザ音声の最初の部分を認識することができない問題を予め防止して、ユーザ音声の一部が消失することを防止する。【選択図】  図２
0003115163.tif 000002
【実用新案登録請求の範囲】
【請求項１】
送信音声を遅延させて出力する送信音声遅延部と、
前記送信音声が入力されるとＰＴＴ信号を発生し、受信音声が入力されると前記ＰＴＴ信号を発生しない制御部と、
前記送信音声と前記受信音声の入力可否を感知する音声入力感知部と、
を備えることを特徴とする無線機用音声送受信装置。
【請求項２】
前記送信音声遅延部は、
前記送信音声をデジタルデータに変換するＡＤコンバータと、
前記ＡＤコンバータのデジタルデータを所定の時間の間、保存した後に出力するメモリ部と、
前記メモリ部のデジタルデータをアナログ形態の音声に変換するＤＡコンバータと、
を備えることを特徴とする請求項１に記載の無線機用音声送受信装置。
【請求項３】
前記制御部は、
前記送信音声が入力されると送信モードを設定し、前記受信音声が入力されると受信モードを設定することになるが、前記送信モードの際に前記受信音声が入力されると前記送信モードを前記受信モードに切り替えるモード設定部と、
前記送信モードが設定されるとＰＴＴ信号を発生し、前記送信モードが解除されると送信終了警報音を発生した後にＰＴＴ信号を発生しない送信信号処理部と、
を備えることを特徴とする請求項１に記載の無線機用音声送受信装置。
【請求項４】
送信音声が入力されるとＰＴＴ信号を発生した後、先方無線機から前記ＰＴＴ信号に対する応答信号を受信すると送信モードを設定して、受信音声が入力されると受信モードを設定しＰＴＴ信号を発生しない制御部と、
前記送信モードの際に送信音声を遅延させ出力する送信音声遅延部と、
前記送信音声と前記受信音声の入力可否を感知する音声入力感知部と、
を備えることを特徴とする無線機用音声送受信装置。
【請求項５】
前記送信音声遅延部は、
前記送信音声をデジタルデータに変換するＡＤコンバータと、
前記ＡＤコンバータのデジタルデータを所定の時間の間保存し、前記制御部の制御下で保存された前記デジタルデータを出力するメモリ部と、
前記メモリ部のデジタルデータをアナログ形態の音声に変換するＤＡコンバータと、
を備えることを特徴とする請求項４に記載の無線機用音声送受信装置。
【請求項６】
前記制御部は、
前記送信音声が入力されると前記ＰＴＴ信号を発生した後、前記ＰＴＴ信号に対する応答信号を受信すると前記送信モードを設定し、前記受信音声が入力されると前記受信モードを設定することになるが、前記送信モードの際に前記受信音声が入力されると前記送信モードを前記受信モードに切り替えるモード設定部と、
前記送信モードが設定されるとＰＴＴ信号を発生し、前記送信モードが解除されると送信終了警報音を発生した後、ＰＴＴ信号を発生させない送信信号処理部と、
を備えることを特徴とする請求項４に記載の無線機用音声送受信装置。
【請求項７】
前記音声入力感知部は、
前記送信音声の入力を感知して前記モード設定部に知らせる送信音声入力感知部と、
前記受信音声と前記ＰＴＴ信号に対する応答信号の入力を感知して前記モード設定部に知らせる受信音声入力感知部と、
を備えることを特徴とする請求項４に記載の無線機用音声送受信装置。
【考案の詳細な説明】
【技術分野】
【０００１】
本考案は、音声認識自動送信マイクに関するもので、特に、無線機に用いられる音声認識自動送信マイクに関する。
【背景技術】
【０００２】
無線機は、所定の周波数帯域を利用して所定の地域的範囲内で一対一及び一対多の無線通信ができる装置であり、無線機の種類は産業用無線機（Ｌａｎｄ  Ｍｏｂｉｌｅ  Ｒａｄｉｏ；ＬＭＲ）、周波数共用通信（ＴｒｕｎＫＥＤ  Ｒａｄｉｏ  Ｓｙｓｔｅｍ；ＴＲＳ）無線機と、アマチュア（ＨＡＭ）無線機と、ＣＢ（Ｃｉｔｉｚｅｎ  Ｂａｎｄ）無線機と、生活無線機（Ｆａｍｉｌｙ  Ｒａｄｉｏ  Ｓｅｒｖｉｃｅ；ＦＲＳ）などがある。
【０００３】
周波数共用通信無線機は、一対多の通信を行うことによって、基地局と交換局と多数の周波数共用通信無線機を含みながら無線通信網を構成する。このような周波数共用通信無線機は無線通信網による認証過程を通さなければならないので、まず、ＰＴＴボタンを押してＰＴＴ信号を送信し、先方無線機からＰＴＴの応答信号を受信した後に音声を送信することができる。
【０００４】
一方、アマチュア無線機と、ＣＢ無線機と、生活無線機は基地局と交換局を経らないで、先方無線機と直接連結する。したがって、特別な認証過程を要しなく、ＰＴＴボタンを押してＰＴＴ信号を送信すること共に音声を送信することができる。
【０００５】
ここで、ＰＴＴ信号は、無線機が送信モードとして動作することを先方無線機に知らせるための信号である。
【０００６】
このように無線機を用いて音声を送信するためにはユーザは必ず無線機のＰＴＴボタンを押さなくてはならなかった。ここで、ユーザが運転中や、音声通信中に本を捜すとか、コンピュータの操作パネルを使用するように両手を使う場合は、ユーザとしては不便を感じる。特に運転中に無線機を使う場合はＰＴＴボタンを操作しなければならないので、ユーザの不便だけではなく運転に対する集中力が劣って交通事故の危険性は高くなる。
【０００７】
現在、前述のような問題を解決するため無線機の外部スピーカマイク端子を利用してユーザの音声を無線機から送って、相手の音声をスピーカに出力する無線機用音声送受信装置（ｖｏｉｃｅ  ｔｒａｎｓｆｅｒｒｉｎｇ  ｄｅｖｉｃｅ  ｆｏｒ  ｔｗｏ−ｗａｙ  ｒａｄｉｏ）が開発されて広く使われている。
【０００８】
図１は、従来の技術による無線機用音声送受信装置とこれを利用する無線機を示す図であり、図に示すように従来の無線機用音声送受信装置１は無線機５の外部スピーカマイク端子７によって有線で繋がれている。
【０００９】
そして、無線機用音声送受信装置１はマイク3とスピーカ2を備えてユーザが話をするとこれを感知してＰＴＴ信号を発生させ、発生されたＰＴＴ信号とユーザの音声を同時に無線機の外部スピーカマイク端子７に出力させる。
【００１０】
また、無線機用音声送受信装置１は、外部のスピーカマイク８が装着できるようにする外部スピーカマイク端子４をさらに具備する。これによって、外部スピーカマイク端子４に外部のスピーカマイク８が装着されると、外部のスピーカマイク８によって音声を入力及び受信音声を出力してくれる。
【００１１】
このように、従来の無線機用音声送受信装置はユーザの音声が入力されると、ＰＴＴ信号を発生させ、発生されたＰＴＴ信号とユーザの音声を同時に無線機に出力させた。
【００１２】
しかしながら、無線機は外部からＰＴＴ信号を印加されると、ここに応答して送信モードに変換し、送信モードの際に入力されたユーザの音声を先方の無線機に伝送させる。
【００１３】
したがって、無線機が従来の無線機用音声送受信装置からＰＴＴ信号とユーザの音声を同時に受信することになると、送信モードに変換する時間にあたるユーザの音声は、先方の無線機に伝送することができなくなる。すなわち、ユーザ音声の最初の部分が消失されるという問題が発生する。
【考案の開示】
【考案が解決しようとする課題】
【００１４】
本考案の目的は、音声通信を行うことにおいて、ＰＴＴ信号を先に発生させ、次にユーザ音声が伝送されるようにしてユーザ音声の一部が消失されることを防止させる無線機用音声送受信装置を提供することにある。
【課題を解決するための手段】
【００１５】
前記の目的を果たすための本考案の第１形態による無線機用音声送受信装置は、送信音声を遅延させて出力する送信音声遅延部と、前記送信音声が入力されるとＰＴＴ信号を発生させ、受信音声が入力されると前記ＰＴＴ信号を発生させない制御部と、前記送信音声と前記受信音声の入力可否を感知する音声入力感知部を備えることを特徴とする。
【００１６】
前記の目的を果たすための本考案の第２形態による無線機用音声送受信装置は、送信音声が入力されるとＰＴＴ信号を発生させた後、先方無線機から前記ＰＴＴ信号に対する応答信号を受信すると送信モードを設定して、受信音声が入力されると受信モードを設定しＰＴＴ信号を発生しない制御部と、前記送信モードの際に送信音声を遅延させて出力する送信音声遅延部と、前記送信音声と前記受信音声の入力可否を感知する音声入力感知部を備えることを特徴とする。
【考案の効果】
【００１７】
本考案の無線機用音声送受信装置は、ユーザがＰＴＴボタンを押さなくて相手と音声通信を行うことができるようにユーザの便宜を極大化させる。
【００１８】
また無線機用音声送受信装置は、ＰＴＴ信号を先に出力させた後にユーザの音声を出力することによって、無線機の動作モードが送信モードに切替えられてからユーザの音声を受信できるようにする。これによって、無線機がユーザ音声の最初の部分を認識することができない問題を予め防止し、ユーザ音声の一部が消失されることを防止することができる。すなわち、無線機用音声送受信装置を用いる無線機は、常に正確なユーザの音声を送信することができるのである。
【考案を実施するための最良の形態】
【００１９】
以下、添付した図面を参照して本考案の半導体メモリ装置及び入出力ラインプリチャージ方法を説明する。
【００２０】
図２は、本考案の第１実施例による無線機用音声送受信装置の構成図であり、アマチュア無線機と、ＣＢ無線機と、生活無線機のように基地局と交換局を経ないで音声通信を行う無線機に連結される無線機用音声送受信装置である。
【００２１】
図２を参照すると、本考案の無線機用音声送受信装置は、送信音声遅延部１０、音声入力感知部２０、モード設定部３０、送信信号処理部４０、無線機用インタフェース部５０、及びユーザインタフェース部６０を備える。そして、送信音声遅延部１０は送信音声バッファ１１、ＡＤコンバータ１２、メモリ部１３、ＤＡコンバータ１４、及び信号増幅部１５を備え、送信信号処理部４０はＰＴＴ信号発生部４１、送信終了警報音発生部４２を備える。
【００２２】
送信音声遅延部１０の送信音声バッファ１１はユーザインタフェース部６０から伝送される音声をバッファし、フィルタリングしてユーザの音声（以下、「送信音声」と言う）ノイズを除去する。そして、送信音声を無線機用音声送受信装置が認識できるように所定の電圧値に増幅させた後に出力する。
【００２３】
送信音声遅延部１０のＡＤコンバータ１２は、送信音声バッファ１１から伝送されるアナログ形態の音声をデジタルデータとして切り替える。
【００２４】
送信音声遅延部１０のメモリ部１３は、ＡＤコンバータ１２から伝送される音声デジタルデータを所定時間の間に保存した後に出力する。
【００２５】
送信音声遅延部１０のＤＡコンバータ１４は、メモリ部１３から伝送される音声デジタルデータをアナログ形態の音声に切り替える。
【００２６】
送信音声遅延部１０の信号増幅部１５は、ＤＡコンバータ１４から伝送される送信音声または送信終了警報音発生部４１から伝送される送信終了警報音を受信して、これを無線機が認識するように所定信号の大きさに増幅した後、無線機用インタフェース部５０に出力する。
【００２７】
音声入力感知部２０の送信音声入力感知部２１は、ユーザインタフェース部６０と連結されてユーザインタフェース部６０から送信音声が入力されるかを感知する。感知の結果、送信音声が入力されるとモード設定部３０に送信音声が入力されたことを知らせる送信音声感知信号を発生させてモード設定部３０に伝送する。
【００２８】
音声入力感知部２０の受信音声入力感知部２２は、無線機用インタフェース部５０と連結されて無線機から相手の音声（以下、「受信音声」と言う）が入力されるかを感知する。感知の結果、無線機から受信音声が入力されるとモード設定部３０に受信音声が入力されたことを知らせる受信音声感知信号を発生させてモード設定部３０に伝送する。
【００２９】
モード設定部３０は、あらゆる構成要素の動作を制御して、送信音声入力感知部２１、受信音声入力感知部２２の状態によって動作モードを設定する。すなわち、モード設定部３０は送信音声入力感知部２１から送信音声感知信号を受信すると、送信音声が入力されたことを確認して動作モードを送信モードとして設定した後、送信音声が無線機に伝送できるようにするＰＴＴ活性化信号を発生してＰＴＴ信号発生部４２で印加する。そして、送信モードが設定された状態で所定の時間が経過しても、送信音声感知信号が受信されなければ、送信する音声がこれ以上存在してないことを確認し、送信終了制御信号を発生して送信終了警報音発生部４１に印加して、無線機用音声送受信装置の動作モードを待機モードとして設定する。そして、待機モードへの設定が完了されるとＰＴＴ不活性化信号を発生してＰＴＴ信号発生部４２に印加する。
【００３０】
また、送信モードが設定された状態で送信音声が持続的に入力されても、設定時間が経過したら待機モードへの変換を行う。無線機が設定時間の経過にもかかわらず、送信モードで動作することになると他のユーザはその周波数を使うことができないので、この機能を使用することによって周波数の使用効率を高める効果が得られる。また無線機の誤動作による連続送信を防止する効果も提供できる。
【００３１】
そして、モード設定部３０は受信音声入力感知部２２から受信音声感知信号を受信すると、無線機から受信音声が伝送されることを確認して、動作モードを無条件で受信モードに設定して、送信音声が無線機に伝送されないようにＰＴＴ不活性化信号を発生してＰＴＴ信号発生部４２に印加する。
【００３２】
これによって、モード設定部３０は送信モードがすでに設定された状態でも受信音声入力感知部２２から受信音声感知信号を受ければ受信モードに変換することになる。
【００３３】
送信信号処理部４０の送信終了警報音発生部４１は、無線機用音声送受信装置が待機モードに進入して、モード設定部３０から送信終了制御信号を印加されると、これに応答して送信終了警報音を発生し、発生された送信終了警報音を信号増幅部１５に出力する。
【００３４】
送信信号処理部４０のＰＴＴ信号発生部４２は、無線機用音声送受信装置が送信モードで動作してモード設定部３０からＰＴＴ活性化信号を印加されると、これに応答してＰＴＴ信号を発生し、発生されたＰＴＴ信号を無線機用インタフェース部５０に出力する。
【００３５】
一方、無線機用音声送受信装置が受信モードに設定されて、モード設定部３０からＰＴＴ不活性化信号が印加されたら、これに応答してＰＴＴ信号を発生しない。このことは、受信モードの際には無線機用音声送受信装置が送信音声を出力しても無線機がこれを認識することができなくなる。
【００３６】
無線機用インタフェース部５０は、送信信号出力端子５１と受信信号入力端子５２を備えて送信信号出力端子５１を通じては無線機用音声送受信装置の内部の動作によって発生された信号を出力し、受信信号入力端子５２を通じては無線機から伝送される信号を入力する。
【００３７】
すなわち、送信信号出力端子５１を通じて送信音声、送信終了警報音、及びＰＴＴ信号が出力され、受信信号入力端子５２を通じては無線機から伝送される受信音声が入力される。
【００３８】
ユーザインタフェース部６０は、マイク６１、スピーカ６２、及び外部スピーカマイク端子６３を備える。したがって、マイク６１は送信音声を入力して送信音声バッファ１１及び送信音声入力感知部２１に伝送し、スピーカ６２は無線機用インタフェース部５０の受信信号入力端子５２と連結されて受信信号入力端子５２によって入力される受信音声を出力される。
【００３９】
また、ユーザインタフェース部６０の外部スピーカマイク端子６３は、外部の外部スピーカマイクが装着できるようにする。これによって、外部スピーカマイク端子６３に外部のスピーカマイクが装着されると、外部のスピーカマイクによって送信音声を入力及び受信音声を出力される。
【００４０】
そして、本考案の無線機用音声送受信装置はキーボタン部（図示せず）をさらに備えることができる。
【００４１】
この際のキーボタン部は、送信スタートボタンを備えてユーザが物理的に送信モードへの進入を要請することができるようにする。これによって、ユーザがキーボタン部を押せば、送信モード設定信号を発生しモード設定部に印加される。
【００４２】
そして、モード設定部３０は、送信モード設定信号を受信した状態で送信音声が入力されると無線機用音声送受信装置の動作モードを送信モードで設定し、これによる動作を行われる。
【００４３】
このように本考案の無線機用音声送受信装置がキーボタン部をさらに備えることは、送信する音声が実質的には存在しないが、周辺環境の騒音によって音声送受信装置が誤動作することを防止するためである。
【００４４】
このように構成された図２の音声送受信装置は次のように動作する。
まずは、送信モードで動作する場合を調べて見る。
マイク６１または外部のスピーカマイクから入力された送信音声は、送信音声入力感知部２１と送信音声遅延部１０に印加される。
ここで、送信音声入力感知部２１は、送信音声が入力されることを感知し、モード設定部３０で送信音声が入力されることを知らせる。
送信音声が入力されたことを受けたモード設定部３０は無線機用音声送受信装置の動作モードを送信モードに設定し、ＰＴＴ信号発生部４０を制御してＰＴＴ信号を発生して無線機用インタフェース部５０に出力するようにする。
【００４５】
また、送信音声遅延部１０に入力された送信音声は、送信音声バッファ１１、ＡＤコンバータ１２、メモリ部１３、ＤＡコンバータ１４、及び信号増幅部１５を経て所定時間の遅延と無線機が認識することができる信号の大きさを有した後、無線機用インタフェース部５０に出力される。
【００４６】
そして、送信モードで動作する状態で、所定の時間が経過しても送信音声が印加されなければ、モード設定部３０は送信終了警報音発生部４１を制御して送信終了警報音を無線機用インタフェース部５０に出力するようにした後に待機モードに切り替える。そして待機モードで切り替えたモード設定部３０はＰＴＴ信号発生部４２を制御しＰＴＴ信号の発生を中止する。
【００４７】
続いて、受信モードで動作する場合を調べてみる。
無線機用インタフェース部５０によって受信音声が入力されると、受信音声入力感知部２２はこれを感知し、モード設定部３０に受信音声が入力されることを知らせる。
受信音声が入力されたことを受けたモード設定部３０は受信モードを設定し、ＰＴＴ信号発生部４２を制御してＰＴＴ信号が発生されないようにする。
【００４８】
これと同時に、無線機用インタフェース部５０によって入力された受信音声はユーザインタフェース部６０のスピーカ６１または外部スピーカマイク端子６２に装着された外部のスピーカマイクによって音声で出力される。
【００４９】
図３は、本考案の第２実施例による無線機用音声送受信装置の構成図であり、産業用無線機及び周波数共用通信無線機のように基地局と交換局を経て音声通信を行う無線機に連結される無線機用音声送受信装置である。
【００５０】
図３を参照すると、本考案の無線機用音声送受信装置は、図１と同様に無線機用音声送受信装置は送信音声遅延部１０、音声入力感知部２０、送信信号処理部４０、無線機用インタフェース部５０、ユーザ用インタフェース部６０を備え、モード設定部８０と送信音声遅延部１０のメモリ部９０と音声入力感知部２０の受信音声入力感知部１００の動作が変更される。
したがって、図２と同一の機能を有する図３の構成要素に対しては図２と同一の番号を与え詳細な説明は省略する。
【００５１】
モード設定部８０は、すべての構成要素の動作を制御し、送信音声入力感知部２１、受信音声入力感知部１００の状態によって動作モードを設定する。すなわち、モード設定部８０は、送信音声入力感知部２１から送信音声感知信号を受信すると、送信音声が入力されることを確認しＰＴＴ活性化信号を発生してＰＴＴ信号発生部に印加する。したがって、ＰＴＴ信号発生部４２はＰＴＴ信号を発生して無線機用インタフェース部５０に出力する。
【００５２】
そして、モード設定部８０は受信音声入力感知部１００から送信転換終了信号を受信すると、無線機も送信モードで動作することを確認し、無線機用音声送受信装置の動作モードを送信モードに設定する。そして、メモリ部動作活性化信号を発生してメモリ部９０に出力してメモリ部９０が保存された音声デジタルデータをＤＡコンバータ１４に出力するようにする。したがって、送信音声遅延部１０に入力された送信音声は無線機用インタフェース部５０に出力される。
【００５３】
送信モードが設定された状態で、所定の時間が経過したにもかかわらず、送信音声入力感知部２１から送信音声感知信号が受信できなかったら、送信終了制御信号を発生して送信終了警報音発生部４１に印加し、無線機用音声送受信装置の動作モードを待機モードに切り替える。そして、待機モードへの切替えが終了したらＰＴＴ不活性化信号を発生しＰＴＴ信号発生部４２に印加する。
【００５４】
また、送信モードが設定された状態で送信音声が持続的に入力されても、設定時間が経過したら、待機モードへの変換を行う。
【００５５】
そして、無線機の受信音声入力感知部１００から受信音声感知信号が受信されると、無線機から受信音声が伝送されたことを確認し、動作モードを受信モードに設定して、ＰＴＴ不活性化信号を発生してＰＴＴ信号発生部４２に印加する。
【００５６】
メモリ部９０は、ＡＤコンバータ１２から伝送される音声デジタルデータを保存し、モード設定部８０から伝送されるメモリ部動作活性化信号が受信されると保存された送信音声を出力する。
【００５７】
受信音声入力感知部１００は、無線機から受信音声またはＰＴＴ信号の応答信号が入力されるかどうかを感知し、無線機から音声が入力されると受信音声感知信号を発生しモード設定部８０に伝送し、ＰＴＴ信号の応答信号が入力されると、無線機が送信モードに設定されたことを知らせるための送信切替え終了信号を発生してモード設定部８０に伝送する。
【００５８】
この時のＰＴＴ信号の応答信号は、無線機が無線機用音声送受信装置のＰＴＴ信号を受信し、これに応答して動作モードを送信モードに変更したことを知らせるための信号である。
【００５９】
図２の無線機とは異なって図３の無線機がＰＴＴ信号の応答信号を受信した後に送信モードに進入することは、図３の無線機が一対多の通信を行い、このために基地局と交換局を経て音声通信を行うために、基地局、交換局、及び先方無線ターミナルの通信リンク設定が必要である。
【００６０】
このように構成される図３の無線機用音声送受信装置は次のように動作する。
まず、送信モードで動作する場合を調べてみる。
マイク６１または外部のスピーカマイクから入力された送信音声は送信音声入力感知部２１と送信音声遅延部１０に印加される。
これによって、送信音声入力感知部２１は送信音声が入力されたことを感知し、モード設定部８０に送信音声が入力されたことを知らせる。
【００６１】
送信音声が入力されたことを通報受けたモード設定部８０はＰＴＴ信号発生部４０を制御してＰＴＴ信号を発生させ無線機用インタフェース部５０に出力させる。
そして、モード設定部８０は受信音声入力感知部１００からＰＴＴ信号の応答信号を受信したことを通報受けたら、無線機が送信モードで動作していることを確認して、無線機用音声送受信装置の動作モードを送信モードに設定する。
【００６２】
送信モードに設定されたモード設定部８０は、メモリ部９０を制御し保存された音声デジタルデータを出力させる。その後、送信音声遅延部１０に入力された送信音声は無線機用インタフェース部５０に出力される。
【００６３】
そして、送信モードで動作する状態から、所定の時間が経過しても送信音声が印加されてないと、モード設定部８０は送信終了警報音発生部４１を制御して送信終了警報音を無線機用インタフェース部に出力するようにさせた後、待機モードに切り替える。そして待機モードに切り替えたモード設定部８０はＰＴＴ信号発生部４２を制御しＰＴＴ信号の発生を中止する。
【００６４】
続いて、受信モードで動作する場合を調べてみる。
無線機用インタフェース部５０によって受信音声が入力されると、受信音声入力感知部１００はこれを感知し、モード設定部８０に受信音声が入力されたことを知らせる。
【００６５】
受信音声が入力されたことを通報受けたモード設定部８０は、受信モードを設定し、ＰＴＴ信号発生部４２を制御してＰＴＴ信号が発生しないようにして、メモリ部９０を制御して保存された送信音声が出力されないようにする。
【００６６】
これと同時に、無線機用インタフェース部５０によって入力された受信音声はユーザインタフェース部６０のスピーカ６２または外部スピーカマイク端子６３に装着された外部のスピーカマイクによって音声として出力される。
【００６７】
以上のように、本考案の無線機用音声送受信装置は、送信する音声が入力されると直ちにこれを感知しＰＴＴ信号を発生して出力し、送信音声は所定時間の遅延を持たせた後に出力させる。
【００６８】
したがって、無線機用音声送受信装置はＰＴＴ信号を先に発生させ、次に送信音声が出力されるようにしてユーザ音声の一部が消失する現像を防止する。
【００６９】
上述では、本考案の好ましい実施例を参照しながら説明したが、当該技術分野の熟練した当業者は、添付の実用新案請求範囲に記載された本考案の思想及び領域から逸脱しなし範囲で、本考案を多様に修正及び変更させることができる。
【図面の簡単な説明】
【００７０】
【図１】従来の技術による無線機用音声送受信装置とこれを用いた無線機を示す図である。
【図２】本考案の第１実施例による無線機用音声送受信装置の構成図である。
【図３】本考案の第２実施例による無線機用音声送受信装置の構成図である。
【符号の説明】
【００７１】
１１：送信音声バッファ
１２：ＡＤコンバータ
１３：メモリ部
１４：ＤＡコンバータ
１５：信号増幅部
２１：送信音声入力感知部
２２：受信音声入力感知部
３０：モード設定部
４１：送信終了警報音発生部
４２：ＰＴＴ信号発生部
８０：モード設定部
９０：メモリ部
１００：受信音声入力感知部
【図１】
0003115163.tif 000003
【図２】
0003115163.tif 000004
【図３】
0003115163.tif 000005